(57)【要約】      （修正有）【課題】録画したデータ放送を再生する際、または、ダウンロードしたコンテンツを視聴する際に、例えば前者ではプレゼント応募の有効期限、後者では視聴可能回数といった、制約条件を伴うコンテンツであること、およびその内容を、ユーザの手間をかけることなく即座に報知することのできる放送受信装置を提供する。【解決手段】放送受信装置１００は、放送コンテンツと放送コンテンツに関連する期限上の制約条件とを共に記憶手段１９０に格納する。格納した放送コンテンツに対するユーザによる選択を入力手段ＴＰで受け付け、選択に応じて振動する振動手段１８０と、該入力手段により放送コンテンツの選択を受け付けた際、選択された放送コンテンツと共に該記憶手段に格納された制約条件に基づいて、該振動手段の振動を制御する制御手段１５６とを備える。【選択図】図１
2011211747.tif 000002
【特許請求の範囲】
【請求項１】
少なくとも１つの放送コンテンツを、該放送コンテンツに関連する期限上の制約条件と共に格納する記憶手段と、
前記記憶手段に格納した放送コンテンツに対するユーザによる選択を受け付ける入力手段と、
前記入力手段により受け付けた選択に応じて振動する振動手段と、
前記入力手段により前記放送コンテンツの選択を受け付けた際に、当該選択された放送コンテンツと共に前記記憶手段に格納された前記制約条件に基づいて、前記振動手段の振動を制御する制御手段と、
を備えることを特徴とする放送受信装置。
【請求項２】
少なくとも１つの放送コンテンツを、当該放送コンテンツに関連する期限上の制約条件と共に格納する記憶手段と、
前記記憶手段に格納した放送コンテンツに対するユーザによる選択を受け付けると共に、該受け付けた選択に応じて振動するタッチパネルと、
前記タッチパネルにより前記放送コンテンツの選択を受け付けた際に、当該選択された放送コンテンツと共に前記記憶手段に格納された前記制約条件に基づいて、前記タッチパネルの振動を制御する制御手段と、
を備えることを特徴とする放送受信装置。
【請求項３】
請求項１または２に記載の放送受信装置において、
前記記憶手段に格納した放送コンテンツを再生し、表示する表示手段をさらに備え、  
前記制御手段は、
前記入力手段により前記放送コンテンツの選択を受け付けた際に、当該選択された放送コンテンツと共に前記記憶手段に格納された前記制約条件に基づいて、前記振動手段またはタッチパネルの振動を制御した後に、前記入力手段によりユーザから所定の入力操作を受け付けた場合は、当該選択された放送コンテンツにおける前記制約条件に関連する部分から再生して表示するように前記表示手段を制御する、
ことを特徴とする放送受信装置。
【請求項４】
請求項１または２に記載の放送受信装置において、
前記制御手段は、前記選択された放送コンテンツに関連する制約条件が前記記憶手段に格納されているか否かに基づき、前記振動手段またはタッチパネルの振動を制御する、
ことを特徴とする放送受信装置。
【請求項５】
請求項１または２に記載の放送受信装置において、
前記制御手段は、
前記選択された放送コンテンツが、当該放送コンテンツと共に前記記憶手段に格納された前記制約条件を満たすか否かを判定し、当該判定結果に基づき、前記振動手段またはタッチパネルの振動を制御する、
ことを特徴とする放送受信装置。
【請求項６】
請求項１または２に記載の放送受信装置において、
前記記憶手段に格納された、少なくとも１つの放送コンテンツから、前記制約条件を抽出する抽出手段をさらに備える、
ことを特徴とする放送受信装置。
【請求項７】
請求項１または２に記載の放送受信装置において、
前記放送コンテンツは、デジタル放送におけるデータ放送であり、
前記制約条件は、前記デジタル放送のデータ放送におけるデータに関連する有効期限、または、前記デジタル放送の視聴者参加型番組における参加期限である、
ことを特徴とする放送受信装置。
【請求項８】
請求項１または２に記載の放送受信装置において、
前記コンテンツは、デジタル放送番組であり、
前記制約条件は、前記記憶手段に格納した前記デジタル放送番組の、再生可能回数、再生可能期間、再生可能期限、または、コピー可能回数の少なくとも１つである、
ことを特徴とする放送受信装置。
【発明の詳細な説明】
【技術分野】
【０００１】
本発明は、放送受信装置に関する。
【背景技術】
【０００２】
近年、携帯通信端末の高機能化および高性能化への需要が高まり、ウェブの閲覧や、地上デジタル放送の視聴の他に、映像やゲームなどのコンテンツをそれらの配信元からダウンロード（以下、それらコンテンツをダウンロードコンテンツと称する。）したり、地上デジタル放送の番組を録画して、所望の時間にリアルタイムでない状況で再生したりといった、放送受信装置としての機能が、携帯通信端末に付加され始めている。また、こういった地上デジタル放送で提供される番組に付随するデータ放送の双方向サービスにおいては、テレビショッピングでの物品購入、クイズ回答による番組参加、およびプレゼント応募等の、有効期限（制約条件）を有するものが多く見られる。また、前記ダウンロードコンテンツには、著作権の観点から、閲覧（視聴、再生など）できる期間および／または回数、コピーできる回数等に、制限が設けられているものが多い。
【０００３】
携帯通信端末は、例えばこれら有効期限のような情報をユーザに報知する必要があるが、そのための手段として、表示画面（ディスプレイ）への表示ではなく、振動、音、光等を組み合わせた方法は非常に有効であると考えられる。これまで、視覚的に得ていた情報を、ユーザは、触覚や聴覚を使って得ることができるため、報知できる情報が、ディスプレイに表示できる量に限られず、飛躍的に増加し得る。上記の例として、従来技術に、ユーザの接触に応じて振動するタッチパネルが提案されている（特許文献１を参照されたい。）。
【先行技術文献】
【特許文献】
【０００４】
【特許文献１】特開２０００−１３７５７６号公報
【発明の概要】
【発明が解決しようとする課題】
【０００５】
ユーザは、前述した録画した放送番組やダウンロードコンテンツを、交通手段の待ち時間や移動時間を利用して、短時間で断続的に視聴することが考えられ、ひとつのコンテンツを見終わるまでに日数や時間を要することが多く、上述の制約条件を忘れがちとなる。従って、録画した番組の再生時には既に有効期限が切れており、プレゼントを応募できない、或いは、クイズに回答できないといった不具合が生じ得る。また、同様の理由で、ダウンロードコンテンツを再生できないこともあり得る。再生時にまだそれら番組内の期限が有効であるか否かは、放送受信装置のデータ放送表示部（ディスプレイ、画面）に有効期限が表示されていれば一目で判断することができるが、放送受信装置が例えば携帯電話のような、ディスプレイのサイズが小さい携帯通信端末の場合、プレゼント応募とその有効期限を示す表示が、同時にディスプレイに表示されないことがあり得る。
【０００６】
また、視覚的に分かり易くするために、録画した番組やダウンロードコンテンツをサムネイル表示させれば、有効期限を表示するスペースはますます狭くなる。ユーザがサムネイル表示からコンテンツを選択した後に、有効期限をポップアップ表示することも考えられるが、ユーザにとって不要な情報であったり、次の操作やコンテンツの視聴の妨げになる場合もあり、不便である。
【０００７】
よって、本発明の目的は、上述の問題を解決し、録画したデータ放送を再生する際、または、ダウンロードしたコンテンツを視聴する際に、例えば前者ではプレゼント応募の有効期限、後者では視聴可能回数といった、制約条件を伴うコンテンツであること、およびその内容を、ユーザの手間をかけることなく即座に報知することのできる放送受信装置を提供することにある。
【課題を解決するための手段】
【０００８】
上述した諸課題を解決すべく、第１の発明による放送受信装置は、
（少なくとも１つの放送コンテンツを受信する受信手段と、）
少なくとも１つの放送コンテンツを、該放送コンテンツに関連する期限上の制約条件（リンク先へのアクセス期限、視聴者参加型番組への参加期限、懸賞応募期限、または、テレビショッピング番組の商品購入期限など）と共に格納する（録画する）記憶手段と、
（前記記憶手段に格納した放送コンテンツを再生し、表示する表示手段と、）
前記記憶手段に格納した放送コンテンツに対するユーザによる選択を受け付ける入力手段と、
前記入力手段により受け付けた選択に応じて振動する振動手段と、
前記入力手段により前記放送コンテンツの選択を受け付けた際に、当該選択された放送コンテンツと共に前記記憶手段に格納された前記制約条件に基づいて、前記振動手段の振動を制御する制御手段と、
を備えることを特徴とする。
【０００９】
第２の発明による放送受信装置は、
（少なくとも１つの放送コンテンツを受信する受信手段と、）
少なくとも１つの放送コンテンツを、当該放送コンテンツに関連する期限上の制約条件（リンク先へのアクセス期限、視聴者参加型番組への参加期限、懸賞応募期限、または、テレビショッピング番組の商品購入期限など）と共に格納する（録画する）記憶手段と、
（前記記憶手段に格納した放送コンテンツを再生し、表示する表示手段と、）
前記記憶手段に格納した放送コンテンツに対するユーザによる選択を受け付けると共に、該受け付けた選択に応じて振動するタッチパネルと、
前記タッチパネルにより前記放送コンテンツの選択を受け付けた際に、当該選択された放送コンテンツと共に前記記憶手段に格納された前記制約条件に基づいて、前記タッチパネルの振動を制御する制御手段と、
を備えることを特徴とする。
【００１０】
第３の発明による放送受信装置は、
前記記憶手段に格納した放送コンテンツを再生し、表示する表示手段をさらに備え、  
前記制御手段は、
前記入力手段により前記放送コンテンツの選択を受け付けた際に、当該選択された放送コンテンツと共に前記記憶手段に格納された前記制約条件に基づいて、前記振動手段またはタッチパネルの振動を制御した後に、（所定の期間中に）前記入力手段によりユーザから所定の入力操作（入力手段の長押し、または連続した回数での押下など）を受け付けた場合は、当該選択された放送コンテンツにおける前記制約条件に関連する部分から再生して表示するように前記表示手段を制御する、
ことを特徴とする。
【００１１】
第４の発明による放送受信装置は、
前記制御手段は、前記選択された放送コンテンツに関連する制約条件が前記記憶手段に格納されているか否かに基づき、前記振動手段またはタッチパネルの振動を制御する、
ことを特徴とする。
【００１２】
第５の発明による放送受信装置は、
前記制御手段は、
前記選択された放送コンテンツが、当該放送コンテンツと共に前記記憶手段に格納された前記制約条件を満たすか否かを判定し、当該判定結果に基づき、前記振動手段またはタッチパネルの振動を制御する、
ことを特徴とする。
【００１３】
第６の発明による放送受信装置は、
前記記憶手段に格納された、少なくとも１つの放送コンテンツから、前記制約条件を抽出する抽出手段をさらに備える、
ことを特徴とする。
【００１４】
第７の発明による放送受信装置は、
前記放送コンテンツは、デジタル放送におけるデータ放送であり、
前記制約条件は、前記デジタル放送のデータ放送におけるデータに関連する有効期限、または、前記デジタル放送の視聴者参加型番組における参加期限である、
ことを特徴とする。
（前記各期限は、例えば形態素解析を用いて、さらには、期限、締切り、応募、申込み、受付期間などのキーワード検索によって抽出してもよい。）
第８の発明による放送受信装置は、
前記コンテンツは、デジタル放送番組であり、
前記制約条件は、前記記憶手段に格納した前記デジタル放送番組の、再生可能回数、再生可能期間、再生可能期限、または、コピー可能回数の少なくとも１つである、
ことを特徴とする。
【発明の効果】
【００１５】
上述のように、本発明による放送受信装置は、コンテンツを選択した時の振動により、そのコンテンツに制約条件が付加されていること、およびその内容を、ユーザに即座に報知することができる。
【図面の簡単な説明】
【００１６】
【図１】本発明による放送受信装置のブロック図を示す図である。
【図２】本発明による放送受信装置の概略図である。
【図３】本発明の第１の実施の形態による放送受信装置の概略図である。
【図４】本発明の第１の実施の形態による放送受信装置の概略図である。
【図５】本発明の第１の実施の形態による放送受信装置の概略図である。
【図６】本発明の第１の実施の形態によるＢＭＬソースの一例である。
【図７】本発明の第１の実施の形態の処理を示すフローチャートである。
【図８】本発明の第２の実施の形態による放送受信装置の概略図である。。
【図９】データ放送コンテンツの表示画面の一例である。
【発明を実施するための形態】
【００１７】
本発明で用いる各種有効期限の抽出には、第１表示部ＤＩＳに表示する画面を記述するＢＭＬ（Ｂｒｏａｄｃａｓｔ  Ｍａｒｋｕｐ  Ｌａｎｇｕａｇｅ、放送用マークアップ言語）を、例えば、形態素解析等の既知の文書解析手法を用いて解析することによって行うことができる。ＢＭＬは、データ放送画面（ページ、コンテンツ）において、どこに何をいつ表示するかという空間／時間的提示の制御、関連する番組やインターネットのＵＲＬを示すリンク、タイトルや本文などを示す構造の表現、操作ボタンなどのユーザインターフェースなどを規定しており、放送受信装置は、ＢＭＬソースコード中の、「期限」、「締切り」、「応募」、「申込み」、「受付期間」などのキーワードを検索し、それに近い場所にある、日時を示す数値データを前記期限として抽出することができる。または、データ放送コンテンツを含むＴＳパケットに付加された、有効期限を示すフラグを解析することで、上記有効期限を得ることもできる。
【００１８】
以降、諸図面を参照しながら、本発明による放送受信装置の実施形態を詳細に説明する。放送受信装置としては、携帯電話、ＰＤＡ（パーソナルデジタルアシスタンス）、携帯ゲーム機、携帯ビデオプレイヤー、携帯電子書籍ビューワーなどの携帯電子機器に幅広く本発明を適用することが可能である。なお、これ以降で用いる「コンテンツ」には、デジタル放送の番組、インターネットからダウンロードした映像およびゲーム等が含まれるものとする。
【００１９】
図１に、本発明による放送受信装置の機能ブロック図を示す。放送受信装置１００は、アンテナＡＮＴ１、ＡＮＴ２、チューナ部１１０、復調部１２０、分岐部１３０、処理部１４０、スピーカＳＰ、第１表示部ＤＩＳ、制御部１５０、無線部１６０、記憶部１７０、第２表示部（タッチパネル等）ＴＰ、振動発生部１８０および番組記憶部１９０を備えている。アンテナＡＮＴ１は、地上デジタル放送の信号（ＲＦ信号）を受信し、チューナ部１１０は、制御部１５０からの周波数（チャンネル）指定命令に基づいて、受信したＲＦ信号をチューニング（周波数変換）する。なお、制御部１５０からのチャンネル指定命令は、タッチパネルＴＰを用いてユーザが指定したチャンネルに基づく。復調部１２０は、チューナ部１１０によってチューニングされたチャンネル信号を、ＭＰＥＧ形式のＴＳ信号に復調する。分岐部１３０は、復調部１２０によって復調されたＴＳ信号内のパケットＩＤに基づき、音声パケット、映像パケット、データ放送パケットを検出し、音声パケットを音声処理部１４２に、映像パケットを映像処理部１４４に、データ放送パケットをデータ処理部１４６に出力する。なお、音声処理部１４２、映像処理部１４４およびデータ処理部１４６は処理部１４０に備えられている。音声処理部１４２は、入力された音声パケット内の音声データをデコードし、スピーカＳＰに出力する。映像処理部１４４およびデータ処理部１４６は、入力された映像データおよびデータ放送パケットをそれぞれデコードし、第１表示部ＤＩＳに出力する。
【００２０】
無線部１６０は、アンテナＡＮＴ２を介して、プレゼント応募サイトへアクセスするための無線通信回線へのパケットの送信、および、インターネットからのコンテンツのダウンロード等の無線通信を行う。番組記憶部１９０は、例えばハードディスクやフラッシュメモリ等で構成され、各種コンテンツを、それに付随する制約条件とともに格納し、記憶部（メモリ等）１７０は、第１表示部ＤＩＳへ表示する例えば「再生中」や「サムネイル一覧」等のテンプレート等の各種出力データを格納する。なお、番組記憶部１９０は、記憶部１７０の内部に含めてもよい。第２表示部ＴＰは、ユーザにより、インターネットへのアクセス要求や、データ放送におけるコンテンツの選択（すなわち、データ放送の表示画面に表示される、別の画面（サイト）へ遷移するためのリンクボタン等）、デジタル放送のチャンネルの選択、デジタル放送の録画／再生等を受け付ける。制御部１５０は、放送受信装置１００の各機能部の制御を行うものであり、条件判定部１５２、記憶制御部１５４、および、振動制御部１５６を備えている。条件判定部１５２は、ＴＳパケットに含まれる各種制約条件（応募期限等）が有効であるか否か、すなわち、現在日時が有効期限内であるか否かを、図示しない計時部に基づいて判定し、振動制御部１５６は、条件判定部１５２の判定に基づいて、振動発生部１８０の振動を制御する。また、記憶制御部１５４は、番組を録画する際のチャプターの挿入を制御するが、これについては後述する。なお、条件判定部１５２は制御部１５０の中に含めず、独立した機能部としてもよい。
（第１の実施形態）
図２に、放送受信装置１００の第１の実施形態の概略図を示す。図２の例では、放送受信装置１００を、筐体を開閉できる折り畳み型としており、同図（ａ）は筐体を閉じた状態（第１表示部ＤＩＳおよび第２表示部（タッチパネル）ＴＰを収納した状態）、（ｂ）は筐体を開けた状態（開放状態）、（ｃ）は開放状態の側面図を示す。図のように、放送受信装置１００は第１表示部に相当するディスプレイ（液晶ディスプレイ、有機ＥＬおよびＬＥＤディスプレイ等）ＤＩＳを上部筐体に備えており、第２表示部（タッチパネル）ＴＰおよび振動発生部１８０を、それ自身が振動するフォースフィードバック機能を有するタッチパネルとして構成して、下部筐体に備えている。第２表示部（タッチパネル）ＴＰにはキー群ＫＥＹが表示されており、タッチペンや指等を用いたユーザからの操作入力を受け付ける。なお、上部筐体の第１表示部の前面にタッチパネルを配置し、下部筐体は通常のテンキーを配置して、上部筐体からも入力操作を可能とする構成や、折畳み式に限らないストレートやスライド式の携帯端末であっても、本発明を実現することができる。また本実施例では、タッチパネルと振動発生部を一体化した構成となっているが、通常のテンキーによる入力に対して、バイブモータ等の振動を制御してもよい。また、タッチパネルはそれ自身が振動するのではなく、別途設けた圧電素子等の振動発生部によって振動させるように構成しても良い。
【００２１】
図３に、本発明の実施の形態にかかる放送受信装置１００の、第１表示部ＤＩＳの画面表示例を示す。第１表示部ＤＩＳは、録画したテレビ番組（コンテンツ）の中からユーザが視聴する番組を選択する際の画面表示例であり、録画して番組記憶部１９０に格納した番組を一覧できるように、４つの番組をそれぞれ表示部ＤＩＳ１〜ＤＩＳ４にサムネイル表示している。第２表示部（タッチパネル）ＴＰは、第１表示部ＤＩＳにサムネイル表示した各番組に対応する番組選択キーＫＥＹ１、および、上下キーＫＥＹ２を表示している。ユーザは、番組選択キーＫＥＹ１の番号を、直接指やタッチペンＰＥＮで押下したり、上下キーＫＥＹ２により、第１表示部ＤＩＳのカーソル（またはフォーカス）を移動させて、所望の番組を選択することができる。
【００２２】
例えば、表示部ＤＩＳ１の「番組１」は、付随するデータ放送でプレゼントの応募が可能な番組であり、応募期間が例えば番組の放送開始時間から２４時間以内という制約条件が設けられているものとする。一方、表示部ＤＩＳ３の「番組３」にはそのような制約条件は付加されていないものとする。この場合、ユーザが、「番組１」を選択すべく、第２表示部（タッチパネル）ＴＰの「番組１」に対応するキー「１」を押下（または、タッチ）した場合は、振動制御部１５６は、「番組１」に制約条件があることを示す、例えば「ブルッ」という短い振動パターンＡで振動するように、第２表示部（タッチパネル）ＴＰを制御する。ユーザが、制約条件のない「番組３」を選択すべく、第２表示部（タッチパネル）ＴＰのキー「３」を押下した場合は、振動制御部１５６は、制約条件がないことを示す、例えば「カチッ」というクリック感のある振動パターンＣで振動するように、タッチパネルを制御する。或いは、全く振動させないようにしてもよい。なお、この振動の制御は、ユーザの選択操作に対して即座（同時）に行われて、ユーザが指又はペンでタッチパネルに触れている間に振動を伝えるようにするのが好適である（選択のためにユーザがタッチパネルに触れるのはごく短時間であるため。）。この振動によって、ユーザは「番組１」に何らかの制約条件が付加されている事を認識できる。
【００２３】
また、同じ「番組１」を選択する場合でも、「番組１」に付加された制約条件が有効である２４時間以内に選択する場合と、無効となる２４時間以降に選択する場合で、振動パターンを変化させるのが好適である。図４に、この場合を説明する図を示す。ユーザが、有効期限内に「番組１」を選択した場合は、「ブルッ」という振動パターンＡで振動し、有効期限が無効な時に「番組１」を選択した場合は、制約条件のない「番組３」と同一の振動（「カチッ」という振動パターンＣ）で振動してもよいし、或いは、全く振動させないようにしてもよい。
【００２４】
コンテンツを、以前視聴した続きから視聴する場合等、事前に制約条件の内容が分かっているユーザは、現時点でその制約条件がまだ有効であるか否かを、上述した振動の種類によって確認することができるため、確認した後は、必要に応じて、プレゼント応募や、コンテンツの視聴再開といった操作を指示すればよい。ユーザがコンテンツを初めて視聴する場合は、当然、付随する制約条件の内容が分からないが、コンテンツの選択時に、上述した振動の種類によって、「制約条件が付加されており、現時点でその制約条件が有効である」ということを確認できるため、コンテンツを視聴する前に、予め付加された制約条件の内容を確認して、確認した後の操作を指示すればよい。このようにすれば、ユーザが、番組を録画した数日後に番組の最後であったプレゼント告知部分を視聴して初めて、プレゼント応募があることを知ったが、その時点では既に応募期間を過ぎてしまっていた、といったことを防止できる。
【００２５】
上述の状況を、より詳細に具体例を挙げて説明する。ユーザが、夜８時から放送された１時間の番組を放送受信装置１００に録画したとする。この番組は、放送開始から２４時間以内で、関連するデータ放送における双方向サービスを利用した、視聴者からのプレゼント応募を受け付けている。翌朝、ユーザが、出勤中の電車内にて、録画した番組を視聴するためにサムネイル一覧を確認して、この番組を選択すると、選択と同時に「ブルッ」という振動がタッチパネルから伝わり、何かしらの制約条件が付加されていることをユーザは認識することができる。その時点ではユーザは、制約条件の内容が分からないため、番組を視聴する前に、その制約条件の内容を告知している番組部分を確認して、その日の夜８時までプレゼントの応募が可能であることを確認した後、番組を冒頭から２０分間視聴した。その後ユーザは、昼食時間に、番組の続きを視聴するために再度本番組を選択したが、その時点でもプレゼントの応募期間が有効であるため、「ブルッ」という振動が発生する。この振動によりプレゼント応募の有効期限を思い出したユーザは、その日の帰宅時間が深夜になることが確実であり、帰宅時では応募が間に合わないことが予め分かっていたため、番組の続きを２０分間視聴した後に、データ放送からプレゼントの応募を実施した。その後ユーザが、夜１１時に、帰宅中の電車内で本番組の残りを視聴しようと再度本番組を選択すると、プレゼント応募の有効期限である夜８時を過ぎており、応募が無効となるため、「カチッ」という異なる振動が発生することになる。
【００２６】
上述したように、ユーザが、番組選択時に発生する振動により、選択した番組に制約条件があることを認識した際には、当然、その内容を確認しようとすると考えられる。しかしながら、ユーザが、第２表示部（タッチパネル）ＴＰを操作してコンテンツを早送りし、制約条件を告知している部分を探すのには手間がかかる。よって、番組に制約条件があることを認識した後に、第２表示部（タッチパネル）ＴＰに所定の操作を入力することにより、制約条件を告知している番組部分にスキップして再生できるようにすることが好適である。この制御を、図５を用いて説明する。ユーザが、制約条件のある「番組１」を第２表示部（タッチパネル）ＴＰで選択すると、振動制御部１５６は、「ブルッ」という振動パターンＡで第２表示部（タッチパネル）ＴＰを振動させる。それにより、制約条件があることを認識したユーザによって、所定の操作（この例では、選択キー「１」を２回連続して押下げる操作）を第２表示部（タッチパネル）ＴＰが受け付けると、制御部１５０は、番組記憶部１９０に格納した番組のＢＭＬに基づき、制約条件を告知する部分を表示するように第１表示部ＤＩＳを制御する。再生中の第１表示部ＤＩＳには、例えば、番組映像を表示する番組映像表示部ＤＩＳ５、データ放送を表示するデータ放送表示部ＤＩＳ６が表示される。また、第１表示部ＤＩＳに番組映像を表示して再生を開始すると、制御部１５０は、番組映像の停止、早送り、および巻戻しのような指示を受け付けるキーＫＥＹ３を表示するように、第２表示部（タッチパネル）ＴＰを制御する。例えば、キーＫＥＹ３に表示されたクリアキーの押下等で、スキップ前の再生位置（コンテンツ冒頭や前回の続き）に戻るようにすれば、ユーザが簡単な操作で即時に再生を再開できるので好適である。なお、前記所定の操作は、タッチパネルＴＰの２回押下に限らず、長押し等とすることもできる。
【００２７】
図５の例では、第２表示部（タッチパネル）ＴＰが、ユーザによる番組の選択操作に続けて、再度同一の選択キーの押下げを検知すると、制御部１５０が、制約条件を告知している番組部分にスキップするように、第１表示部ＤＩＳを制御している。このように制御するための一例として、データ放送のＢＭＬソースにチャプターを挿入する方法が考えられる。図６に、チャプターを挿入した録画番組のＢＭＬソースの概念図を示す。この、スキップする位置の判定には、例えば、記憶制御部１５４が、放送波におけるＴＳパケットに含まれるＢＭＬの更新を監視し、ＢＭＬが更新される都度、その内容に制約条件が含まれているか否かを判定し、制約条件が含まれている（図における「ＢＭＬ２」の部分）と判定した場合に、ＢＭＬが更新される直前の位置にチャプターを挿入して録画しておけばよい。
【００２８】
上述したチャプターを挿入する制御を、図を用いてより具体的に説明する。図９に、データ放送の表示画面の推移の一例を示す。図９の（ａ）〜（ｃ）は、再生しているドラマおよびデータ放送画面の時系列での推移を示す図である。まず同図（ａ）の時刻では、データ放送画面にはボタン「出演者情報」と「あらすじ」が表示されている。その後時間が経過し、同図（ｂ）の時刻に、プレゼント応募画面へのリンクボタン「プレゼント応募」が表示され、同図（ｃ）の時刻には、プレゼント応募を告知する表示と、その応募期限とが表示されている。この図の例では、チャプターが、同図（ｂ）の直前に挿入され、再生時には、上述のタッチパネルＴＰでの所定の操作に応じて、同図（ｂ）の画面が表示部ＤＩＳに表示される。なお、これらの画面は、上述したようにＢＭＬソースコードで記述するか、或いは、フラッシュ表示するためのプログラム言語で記述してもよい。
【００２９】
本発明の第１の実施形態の処理を、図７のフローチャートを用いて説明する。条件判定部１５２は、第１表示部ＤＩＳに表示した録画番組のサムネイル一覧から、ユーザの第２表示部（タッチパネル）ＴＰの押下げによる番組の選択を受け付けると、（ステップＳ１１）、条件判定部１５２が、その番組に有効期限等の制約条件が付加されているか否かをフラグの有無等によって判定する（ステップＳ１２）。制約条件がない場合は、振動制御部１５６は、制約条件がないことを示す振動Ｃ（「カチッ」という振動）で振動するように、第２表示部（タッチパネル）ＴＰを制御する（ステップＳ１８）。何かしらの制約条件が付加されている場合は、その制約条件が現時点でも有効であるか否かを、図示しない計時部に基づいて判定し（ステップＳ１３）、有効である場合は振動Ａ（「ブルッ」という振動）（ステップＳ１４）、無効である場合は、振動Ｂ（例えば、「ブルブル」という連続した短い振動パターン）で振動するように第２表示部（タッチパネル）ＴＰを制御する（ステップＳ１７）。その後、制約条件の内容を確認をすべく、ユーザにより第２表示部（タッチパネル）ＴＰで所定の操作入力を受け付けると（ステップＳ１５）、制御部１５０は、番組記憶部１９０に格納したＢＭＬソースに基づき、制約条件を告知する番組部分にスキップして表示するように第１表示部ＤＩＳを制御する（ステップＳ１６）。所定の操作入力がなかった場合は、制御部１５０は、コンテンツの冒頭部分、または、以前に再生したことがあればその続きの部分から再生するように第１表示部ＤＩＳを制御する（ステップＳ１９）。
（第２の実施形態）
第１の実施形態では、録画した番組をサムネイル表示し、ユーザによる第２表示部（タッチパネル）ＴＰを介した選択に応じてタッチパネルを振動させて、制約条件の有無を報知していた。第２の実施形態では、第１表示部ＤＩＳに、録画番組をテキスト形式で一覧表示するが、その際に、条件判定部１５２が、前述した処理で有効期限の有無とその有効性を判定し、その情報も合わせて、第１表示部ＤＩＳに表示する。図８に、第２の実施形態による第１表示部ＤＩＳの一例を示す。このように、第１表示部ＤＩＳは、録画番組のリストＰ１〜Ｐ４を表示している。図の例では、制約条件が付加されていない「番組Ａ」「番組Ｃ」は録画番組一覧に番組タイトル名のみが表示されているのに対し、プレゼントの応募締め切りが設定されている「番組Ｂ」はその内容と締め切りまでの残り日数、テレビショッピング「番組Ｄ」は購入申し込み期限が設定されていたが、現時点で既にその期限を過ぎてしまっていることが表示されている。このように、一覧表示上に制約条件とそれに対する判定内容を表示することで、ユーザはどの番組を優先的に視聴する必要があるかを一目で確認でき、データ放送サービス（双方向サービス）を利用する機会を逃したり、所望していたにも係わらず、その操作（応募や申し込み）を忘れてしまうことを防止できる。第１表示部ＤＩＳが小さいことにより文字の読みにくさが問題になる場合は、もちろん、第１の実施態様における振動の制御と組み合わせて、有効期限の有無をユーザに報知することが好適である。
【００３０】
本発明の効果を再度述べる。本発明による放送受信装置は、コンテンツを選択した時の振動により、そのコンテンツに制約条件が付加されていること、およびその内容を、ディスプレイの小さい表示（文字）を確認することなく、ユーザに即座に報知することができる。それにより、ダウンロードしたコンテンツのプレゼントや物品購入の有効期限等の制約条件を確実に確認でき、データ放送（双方向サービス）を確実に利用することができる。また、ポップアップ表示で有効期限を報知する場合では、ポップアップ表示が次の操作やコンテンツ視聴の邪魔となり得るが、本発明ではそういった煩わしさがなく、番組を選択する度に報知されも不都合でない。さらに、ユーザは、有効期限があることを確認してから、その内容を告知している個所を自分で探す手間なく、簡単な操作のみで、有効期限の内容を認識することができる。
【００３１】
また、本実施態様では、地上デジタル放送を受信できる放送受信装置（典型的には携帯通信端末）について記載したが、放送波の受信機能を持たない携帯通信端末において、インターネットからダウンロードしたコンテンツを視聴する際にも、本発明を適用することができる。その場合は、ヘッダ部分等に記載された制約条件を監視して、振動の制御を実施すればよい。なおこの場合のダウンロードデータには、動画ファイルから電子書籍等の電子コンテンツも含むことができる。
【００３２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段に含まれる機能などは論理的に矛盾しないように再配置可能であり、複数の手段を１つに組み合わせたり、あるいは分割したりすることが可能である。
【００３３】
例えば、本実施の形態では、タッチパネル自体の振動を制御することを示したが、振動発生部がタッチパネルと別にある場合は、振動発生部を制御して振動を発生させるものである。また、有効期限は、ＢＭＬソースコードの解析やフラグの有無で抽出する例を示したが、本発明はこれに限られるものではなく、例えば番組の音声を解析することで得てもよいし、あるいは、データ放送コンテンツを含むＴＳパケットに付加された、有効期限を示すフラグのような、放送波に含まれる有効期限を表す何らかの情報を解析してもよい。また、有効期限としてはプレゼント応募期限を例に説明したが、本発明はこれに限られるものではなく、リンク先への接続期限、視聴者参加型番組への参加期限、または、テレビショッピング番組の商品購入期限など多くのものに本発明を適用することが可能である。
【符号の説明】
【００３４】
１００  放送受信装置
１１０  チューナ部
１２０  復調部
１３０  分岐部
１４０  処理部
１４２  音声処理部
１４４  映像処理部  １４６  データ処理部
１５０  制御部
１５２  条件判定部
１５４  記憶制御部
１５６  振動制御部
１６０  無線部
１７０  記憶部
１８０  振動発生部
１８０  記憶部
１９０  番組記憶部
ＡＮＴ１，ＡＮＴ２  アンテナ
ＤＩＳ  第１表示部
ＤＩＳ１〜ＤＩＳ４  表示部
ＤＩＳ５  番組映像表示部
ＤＩＳ６  データ放送表示部
ＫＥＹ  キー群
ＫＥＹ１  番組選択キー
ＫＥＹ２  上下キー
ＫＥＹ３  キー
Ｐ１〜Ｐ４    リスト
ＰＥＮ  タッチペン
ＳＰ    スピーカ
ＴＰ    第２表示部（タッチパネル）
【図１】
2011211747.tif 000003
【図２】
2011211747.tif 000004
【図３】
2011211747.tif 000005
【図４】
2011211747.tif 000006
【図５】
2011211747.tif 000007
【図６】
2011211747.tif 000008
【図７】
2011211747.tif 000009
【図８】
2011211747.tif 000010
【図９】
2011211747.tif 000011
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
携帯電子機器の制御方法であって、
前記携帯電子機器は、コンテンツの一覧表示において、前記コンテンツのタイトル名とともに当該コンテンツに付加された制約条件を表示する、
ことを特徴とする制御方法。
【請求項２】
コンテンツを一覧表示する場合に、前記コンテンツのタイトル名とともに当該コンテンツに付加された制約条件を表示する制御手段
を備える携帯電子機器。
【手続補正２】
【補正対象書類名】明細書
【補正対象項目名】０００８
【補正方法】変更
【補正の内容】
【０００８】
上述した諸課題を解決すべく、第１の発明による携帯電子機器の制御方法であって、前記携帯電子機器は、コンテンツの一覧表示において、前記コンテンツのタイトル名とともに当該コンテンツに付加された制約条件を表示する。
【手続補正３】
【補正対象書類名】明細書
【補正対象項目名】０００９
【補正方法】変更
【補正の内容】
【０００９】
第２の発明による携帯電子機器は、コンテンツを一覧表示する場合に、前記コンテンツのタイトル名とともに当該コンテンツに付加された制約条件を表示する制御手段を備える。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
携帯電子機器の制御方法であって、
前記携帯電子機器は、コンテンツの一覧表示において、前記コンテンツのタイトル名とともに当該コンテンツに予め付加されていた制約条件を表示する、
ことを特徴とする制御方法。
【請求項２】
コンテンツを一覧表示する場合に、前記コンテンツのタイトル名とともに当該コンテンツに予め付加されていた制約条件を表示する制御手段
を備える携帯電子機器。
【手続補正３】
【補正対象書類名】明細書
【補正対象項目名】０００１
【補正方法】変更
【補正の内容】
【０００１】
本発明は、携帯電子機器の制御方法及び携帯電子機器に関する。
【手続補正４】
【補正対象書類名】明細書
【補正対象項目名】０００８
【補正方法】変更
【補正の内容】
【０００８】
上述した諸課題を解決すべく、第１の発明による携帯電子機器の制御方法であって、前記携帯電子機器は、コンテンツの一覧表示において、前記コンテンツのタイトル名とともに当該コンテンツに予め付加されていた制約条件を表示する。
【手続補正５】
【補正対象書類名】明細書
【補正対象項目名】０００９
【補正方法】変更
【補正の内容】
【０００９】
第２の発明による携帯電子機器は、コンテンツを一覧表示する場合に、前記コンテンツのタイトル名とともに当該コンテンツに予め付加されていた制約条件を表示する制御手段を備える。